(57)【要約】      （修正有）【課題】製作費用が安価であり、縮んで識別番号が見にくくなることが無く、色褪せで色の識別が困難になることも無く、競走馬に余分な負担が掛からない調教用ゼッケンを実現する。【解決手段】競走馬調教用ゼッケン本体１２，１３が合成繊維から成る布で形成されている。また、上記合成繊維が回収された資源から再生されたものである。【選択図】図４
0003102543.tif 000002
【実用新案登録請求の範囲】
【請求項１】
本体が合成繊維から成る布で形成されている
ことを特徴とする競走馬調教用ゼッケン。
【請求項２】
前記合成繊維が回収された資源から再生されたものである
ことを特徴とする請求項１に記載の競走馬調教用ゼッケン。
【考案の詳細な説明】
【技術分野】
【０００１】
本考案は競走馬調教用ゼッケンに関する。
【背景技術】
【０００２】
競走馬には調教が実施される。例えば日本中央競馬会の場合、美浦と栗東にトレーニングセンターがあり、美浦には７０００頭前後、栗東には８０００〜９０００頭の競走馬が所属していて、それらに調教が実施されている。
調教される各競走馬の背中には、図１に示すように、鞍２のほか、競走馬調教用ゼッケン３（以下「調教用ゼッケン」という。）及び馬体装着具５が装着される（例えば下記特許文献１参照）。
【特許文献１】実開平６−１３４５８号公報
【０００３】
調教用ゼッケン３には、その馬に付与された識別番号（図１では「１０１９」）が表示されている。また、新馬、２〜３年馬、古馬に分けた色分けが為されている。調教師、厩務員、競馬会関係者、報道関係者などは、この識別番号や色を手掛かりに調教の様子を観察する。
調教は１年中ほぼ毎日実施される。従って調教用ゼッケン３もほぼ毎日使用され、これには強い耐久性が求められる。このため従来この調教用ゼッケン３は、木綿の帆布で製造されて来た。
【０００４】
また、調教用ゼッケン３は使用枚数が多く、更新に費用が掛かる。このため以下に説明するような方法で使用期間の長期化が図られて来た。即ち、或る年度、例えばｎ年度に１セット、例えば７０００頭分の調教用ゼッケンを購入したら、これを１年間使用する。次のｎ＋１年度にもまた１セットを購入し、今度はこれを１年間使用する。この間に最初のｎ年度購入の１セットはクリーニングしておく。次のｎ＋２年度は、このクリーニング済みのｎ年度購入の１セットを使用する。この間にｎ＋１年度に購入使用した１セットはクリーニングしておく。以後これを繰り返す。こうして１セットを３回で積算３年間、２セットで積算６年間使用したら、また新しいものを２セット購入する。
【考案の開示】
【考案が解決しようとする課題】
【０００５】
しかし、木綿の帆布は通常の布に比べ剛性が強い。このため、曲面を成す競走馬の背中に沿いにくくなる畏れがある。これを防ぐため従来は、図２に示すようなバイアス取り、即ち、原反１の延伸方向に対してその向きを斜めにして、左右の本体６、７の切出しをしている。このため、原反１は幅広のものが必要となり、その分費用が掛かっていた。
【０００６】
また、上述のように調教用ゼッケン３はほぼ毎日使用される。その際、騎手の体重が掛かり、また競走馬の激しい動きが加わる。このため、調教用ゼッケン３は鞍２の下でもみくちゃにされる。競走馬の汗が沁みたり、雨が当ったりもする。汚れがひどくなったときは洗濯される。上記クリーニングも行なわれる。これが、例えば積算３年間繰り返される。
上述の如く調教用ゼッケン３は木綿で製作されている。木綿は縮み易い。このため上記種々のことがらが繰り返されると、調教用ゼッケン３のあちこちが縮んで反り返ったりする。特に識別番号部分が縮むとその視認性が悪くなる。前述のとおり識別番号は調教の観察に使用されており、視認性の低下は観察の妨げになる。また、日焼けで色落ちすると調教用ゼッケン３の色も識別しにくくなる。
【０００７】
また、木綿は比重が大きい。このため、調教用ゼッケン３が重くなる傾向があり、競走馬に余分な負担が掛かる。
【０００８】
本考案の目的は、これら欠点を解消し、製作費用が安価であり、縮んで識別番号が見にくくなるようなことが無く、色褪せで色の識別が困難になることも無く、競走馬に余分な負担が掛からない調教用ゼッケンを実現することにある。
【課題を解決するための手段】
【０００９】
上記課題を解決するため請求項１の競走馬調教用ゼッケンでは、本体が合成繊維から成る布で形成されている。
また請求項２の競走馬調教用ゼッケンでは、請求項１にいう合成繊維が回収された資源から再生されたものとされている。
【考案の効果】
【００１０】
本考案では、合成繊維から成る布で調教用ゼッケンを製作する。合成繊維から成る布は柔軟で、競走馬の背中の曲面に的確に沿う。このため、従来の木綿の帆布のように、各本体をバイアス取りする必要はなく、例えば図３に示すように、左本体１２、右本体１３の向きを原反１４の延伸方向に合わせて切出すことが出来る。
これにより、従来のような幅広の原反１を使う必要が無くなり、合成繊維が元々安価なことも相俟って、費用が大幅に節約される。
【００１１】
また、費用が大幅に下がるため、従来のように２セットを６年間交互に使用したりする必要が無くなり、毎年、調教用ゼッケンを更新することが出来る。また、合成繊維は縮みや色落ちが無い。これらのことが相俟って、調教用ゼッケンは常に劣化の無い良好な状態に保たれる。従って識別番号が見にくくなったり、ゼッケンの色が見にくくなったりすることはなく、調教の様子が的確に把握できる。
【００１２】
また、合成繊維は比重が軽い。このため、調教用ゼッケンが軽くなり、競走馬に無用な負担が掛からない。
【００１３】
また、材料の合成繊維を回収された資源から再生したものとする、例えば、競馬場で大量に排出される空きＰＥＴボトルから再生した合成繊維とすると、より一層費用の節約ができ、資源の有効利用も図れる。
【考案を実施するための最良の形態】
【００１４】
以下、本考案の詳細を図示実施の形態例に基いて説明する。図４に、実施の形態例の調教用ゼッケン１１の各部材を示す。図５に製作後の調教用ゼッケン１１の平面（表面）、図６に製作後の調教用ゼッケン１１の裏面を示す（図４の識別番号と図５，図６の識別番号は異なる）。
これら図に於て、１２は左本体、１３は右本体である。これらは、図３に示す原反１４から切出される。原反１４は合成繊維から成る布、例えば競馬場で大量に排出されるＰＥＴボトルを再生した繊維から成る布が使用される。合成繊維は柔軟性が高い。従って、従来の木綿の帆布のように、各本体６、７の向きを斜めにする必要は無く、図３に示す各本体１２、１３のように、その向きを原反１４の延伸方向と合致させて切出すことができる。なお、左右の色の違いを防ぐため、各本体１２、１３は、図３に示すように隣り合う位置から切出す。
【００１５】
切出された左右の本体１２、１３は、中央側が縫い合わされる。この縫い目を覆うように背テープ１６が縫い付けられる。背テープの両端１７、１８は調教用ゼッケン１１の裏側に回されて縫い付けられる。１９は番号布であり、これも再生されたポリエチレン繊維の布から切出され、図３に示す位置に縫い付けられる。２１は名札入れで、合成樹脂シートで製作され、図３に示す位置に縫い付けられる。
２２，２３は、一方がオス、他方がメスの面ファスナーで、向い合せにして図６に示される位置に縫い付けられる。この場合、各本体１２、１３に密着する側の面ファスナー２２は、周囲全部が各本体に縫い付けられ、これに被さる側の面ファスナー２３は馬の首側（図５，図６で上側）のみ各本体１２、１３に縫い付けられる。これにより、被さる側の面ファスナー２３は開閉自在となる。
【００１６】
図７に馬体装着具５を示す（詳細は上記特許文献１参照）。この馬体装着具５には取付け部材８が設けられている。取付け部材８は、表か裏の一方がオスの面ファスナー、他方がメスの面ファスナーとされている。調教用ゼッケン１１と馬体装着具５を連結するには、調教用ゼッケン１１の被さる側の面ファスナー２３を開く。そしてこの二つの面ファスナー２２、２３の間に取付け部材８を差し込む。そのあと開いていた面ファスナー２３を閉じる。これで夫々のオス、メスの各面ファスナーが結合し、馬体装着具５が調教用ゼッケン１１に連結される。この状態で、左本体１２を競走馬の左脇腹側に、また右本体１３を競走馬の右脇腹側にして、これら調教用ゼッケン１１と馬体装着具５とを競走馬に装着する。
【００１７】
なお、馬体装着具５には、ケース９が設けられ、これに記録シート１０が保持されている。記録シート１０にはバーコードが表示されており、これが調教コースのセンサーで読み取られて、走行速度等がコンピュータに記録される。これらの記録は調教の管理や各レースへの競走馬の配分その他に利用される。
【図面の簡単な説明】
【００１８】
【図１】調教用ゼッケン１１及び馬体装着具の競走馬への装着状態を示す右側面図（特許文献１から引用）。
【図２】従来の原反からのゼッケン本体の切出し例を示す平面図。
【図３】本考案の実施の形態例に於ける原反１４からのゼッケン本体の切出し例を示す平面図。
【図４】本考案の実施の形態例の調教用ゼッケン１１を示す分解図。
【図５】本考案の実施の形態例の調教用ゼッケン１１を示す平面図。
【図６】本考案の実施の形態例の調教用ゼッケン１１を示す裏面図。
【図７】馬体装着具の詳細を示す平面図（特許文献１より引用）。
【符号の説明】
【００１９】
１…木綿の原反                        ２…鞍
３…従来の調教用ゼッケン              ５…馬体装着具
６…木綿の左本体                      ７…木綿の右本体
８…取付け部材                        ９…ケース
１０…記録シート                      １１…実施の形態例の調教用ゼッケン
１２…実施の形態例の左本体            １３…実施の形態例の右本体
１４…実施の形態例の原反              １６…背テープ
１７…背テープの一端                  １８…背テープの他端
１９…番号布                          ２１…名札入れ
２２…本体側の面ファスナー            ２３…被さる側の面ファスナー
【図１】
0003102543.tif 000003
【図２】
0003102543.tif 000004
【図３】
0003102543.tif 000005
【図４】
0003102543.tif 000006
【図５】
0003102543.tif 000007
【図６】
0003102543.tif 000008
【図７】
0003102543.tif 000009
【手続補正書】
【提出日】平成16年2月5日(2004.2.5)
【手続補正１】
【補正対象書類名】実用新案登録請求の範囲
【補正対象項目名】請求項１
【補正方法】変更
【補正の内容】
【請求項１】
合成繊維の布で軍配形に形成されて成り、
当該競争馬を識別するための表示が付されている
ことを特徴とする競走馬調教用ゼッケン。
【手続補正２】
【補正対象書類名】明細書
【補正対象項目名】０００９
【補正方法】変更
【補正の内容】
【０００９】
上記課題を解決するため請求項１の競走馬調教用ゼッケンは、合成繊維の布で軍配形に形成されて成り、当該競争馬を識別するための表示が付されている。
また請求項２の競走馬調教用ゼッケンは、請求項１にいう合成繊維が回収された資源から再生されたものとされている。